(57)【要約】【課題】原稿から読み取った画像データの縦横向きを容易に修正できるようにする。【解決手段】通信部が、長方形板状の携帯端末から当該携帯端末の姿勢を示す端末姿勢情報を受信し、読取部が、長方形の原稿を読み取り、画像データ向き検出部が、前記読取部が前記原稿から読み取った画像データの縦横向きが縦長となる向きであるか横長となる向きであるかを検出し、画像編集部が、前記通信部により受信された前記端末姿勢情報と、前記画像データ向き検出部により検出された前記画像データの縦横向きとに基づいて、前記携帯端末の縦横向きと前記画像データの縦横向きとが一致するように、前記画像データを編集する。【選択図】図８
2020088442.tif 000002
【特許請求の範囲】
【請求項１】
長方形板状の携帯端末と、当該携帯端末と通信接続された画像読取装置とを有する画像処理システムであって、
前記携帯端末は、
前記携帯端末の姿勢を検出する端末姿勢検出部と、
前記端末姿勢検出部により検出された前記携帯端末の姿勢を示す端末姿勢情報を、前記画像読取装置に送信する端末側通信部と
を有し、
前記画像読取装置は、
原稿を読み取る読取部と、
前記携帯端末から前記端末姿勢情報を受信する装置側通信部と、
前記読取部により長方形の原稿から読み取られた画像データの縦横向きが縦長となる向きであるか横長となる向きであるかを検出する画像データ向き検出部と、
前記装置側通信部により受信された前記端末姿勢情報と、前記画像データ向き検出部により検出された前記画像データの縦横向きとに基づいて、前記携帯端末の縦横向きと前記画像データの縦横向きとが一致するように、前記画像データを編集する画像編集部と
を有する
ことを特徴とする画像処理システム。
【請求項２】
前記画像読取装置は、
前記装置側通信部により受信された前記端末姿勢情報に基づき、前記読取部により読み取る原稿の縦横向きが縦長となる向きであるか横長となる向きであるかを判定する原稿縦横向き判定部を有し、
前記画像編集部は、
前記原稿縦横向き判定部により判定された前記原稿の縦横向きと、前記画像データ向き検出部により検出された前記画像データの縦横向きとが一致するように、前記画像データを編集する
ことを特徴とする請求項１に記載の画像処理システム。
【請求項３】
前記画像読取装置は、
前記原稿縦横向き判定部により判定された前記原稿の縦横向きと、前記原稿を前記読取部にセットする向きと、前記読取部への前記原稿の給紙方法との組み合わせパターンに基づき、前記画像データの編集に必要な画像編集パラメータを導出する画像編集パラメータ制御部を有し、
前記画像編集部は、
前記画像編集パラメータにより導出された前記画像編集パラメータに基づき、前記画像データを編集する
ことを特徴とする請求項２に記載の画像処理システム。
【請求項４】
前記画像データ向き検出部は、
前記画像データの長辺と短辺を検出することにより、前記画像データの縦横向きが縦長となる向きであるか横長となる向きであるかを検出する
ことを特徴とする請求項１〜３のいずれかに記載の画像処理システム。
【請求項５】
前記読取部は、
前記装置側通信部が前記携帯端末から前記端末姿勢情報を受信した後、前記原稿を読み取る
ことを特徴とする請求項１〜４のいずれかに記載の画像処理システム。
【請求項６】
前記読取部が複数枚の原稿を連続して読み取る場合に、
前記装置側通信部は、
前記読取部が前記複数枚の原稿のそれぞれを読み取る前に、前記携帯端末に対して前記端末姿勢情報を要求し、
前記画像データ向き検出部は、
前記読取部が前記原稿を読み取るごとに、前記読取部が前記原稿から読み取った前記画像データの縦横向きが縦長となる向きであるか横長となる向きであるかを検出し、
前記画像編集部は、
前記読取部が前記原稿を読み取るごとに、前記装置側通信部により受信された前記端末姿勢情報と、前記画像データ向き検出部により検出された前記画像データの縦横向きとに基づき、前記携帯端末の縦横向きと前記画像データの縦横向きとが一致するように、前記画像データを編集する
ことを特徴とする請求項１〜５のいずれかに記載の画像処理システム。
【請求項７】
前記読取部が複数枚の原稿を連続して読み取る場合に、
前記読取部は、
前記装置側通信部により前記端末姿勢情報を受信した後、前記複数枚の原稿を連続して読み取り、
前記画像データ向き検出部は、
前記読取部が前記複数枚の原稿のそれぞれから読み取った複数ページの前記画像データのそれぞれについて縦横向きが縦長となる向きであるか横長となる向きであるかを検出し、
前記画像編集部は、
前記装置側通信部により受信された前記端末姿勢情報と、前記画像データ向き検出部により検出された前記複数ページの画像データのそれぞれの縦横向きとに基づいて、前記携帯端末の縦横向きと前記複数ページの画像データのそれぞれの縦横向きとが一致するように、前記複数ページの画像データのそれぞれを編集する
ことを特徴とする請求項１〜５のいずれかに記載の画像処理システム。
【請求項８】
前記画像読取装置は、
前記装置側通信部が、前記画像編集部により編集された前記複数ページの画像データを前記携帯端末に送信し、
前記携帯端末は、
前記端末側通信部により受信された前記複数ページの画像データを１ページずつ表示部に表示し、前記端末姿勢検出部が、前記画像データが１ページずつ前記表示部に表示されるごとに、前記端末姿勢情報を検出し、前記端末側通信部が、前記端末姿勢検出部により検出された前記端末姿勢情報と、当該端末姿勢情報が検出されたときに前記表示部に表示されていた前記画像データのページ番号とを紐付けたページ別端末姿勢情報を、前記画像読取装置に送信し、
さらに前記画像読取装置は、
前記画像編集部が、前記装置側通信部により受信された前記ページ別端末姿勢情報に含まれているページごとの端末姿勢情報と、前記画像データ向き検出部により検出された前記複数ページの画像データのそれぞれの縦横向きとに基づき、前記携帯端末の縦横向きと前記複数ページの画像データのそれぞれの縦横向きとが一致するように、前記画像データを再編集する
ことを特徴とする請求項７に記載の画像処理システム。
【請求項９】
前記装置側通信部は、
前記画像編集部により編集された前記画像データを、あらかじめ設定された送信先へ送信する
ことを特徴とする請求項１〜８のいずれかに記載の画像処理システム。
【請求項１０】
前記画像読取装置は、
前記画像編集部により編集された前記画像データを記憶する記憶部を有する
ことを特徴とする請求項１〜９のいずれかに記載の画像処理システム。
【請求項１１】
前記端末側通信部は、
前記携帯端末が前記画像読取装置に設けられた端末台に載置されると、前記端末姿勢検出部により検出された前記端末姿勢情報を前記画像読取装置に送信する
ことを特徴とする請求項１〜５のいずれかに記載の画像処理システム。
【請求項１２】
原稿を読み取る読取部と、
長方形板状の携帯端末から当該携帯端末の姿勢を示す端末姿勢情報を受信する通信部と、
前記読取部が長方形の原稿から読み取った画像データの縦横向きが縦長となる向きであるか横長となる向きであるかを検出する画像データ向き検出部と、
前記通信部により受信された前記端末姿勢情報と、前記画像データ向き検出部により検出された前記画像データの縦横向きとに基づいて、前記携帯端末の縦横向きと前記画像データの縦横向きとが一致するように、前記画像データを編集する画像編集部と
を有する
ことを特徴とする画像読取装置。
【請求項１３】
通信部が、長方形板状の携帯端末から当該携帯端末の姿勢を示す端末姿勢情報を受信し、
読取部が、長方形の原稿を読み取り、
画像データ向き検出部が、前記読取部が前記原稿から読み取った画像データの縦横向きが縦長となる向きであるか横長となる向きであるかを検出し、
画像編集部が、前記通信部により受信された前記端末姿勢情報と、前記画像データ向き検出部により検出された前記画像データの縦横向きとに基づいて、前記携帯端末の縦横向きと前記画像データの縦横向きとが一致するように、前記画像データを編集する
ことを特徴とする画像処理方法。
【発明の詳細な説明】
【技術分野】
【０００１】
本発明は、画像処理システム、画像読取装置、及び画像処理方法に関するものであり、例えば原稿を読み取って得られた画像データを処理する画像処理システムに適用して好適なものである。
【背景技術】
【０００２】
従来、スキャナなどの画像読取装置では、例えば、原稿台に載置された原稿を読み取って画像データを生成するようになっている。このような画像読取装置では、原稿を原稿台に載置する際に、原稿の縦横向きをユーザが間違えると、原稿の縦横向きと、原稿から読み取った画像データの縦横向きとが一致しなくなってしまう。つまり、従来の画像読取装置では、例えば、縦長の原稿を読み取って横長の画像データを生成してしまうような状況が起こり得る。
【０００３】
この場合、ユーザは、例えば、画像読取装置で原稿から読み取った画像データを、ＰＣ（パーソナルコンピュータ）に取り込み、ＰＣ上で画像データの縦横向きを確認して修正しなければならない。しかしながら、この場合、ユーザは、原稿ごとに画像データの縦横向きを確認して修正しなければならず、容易に画像データの縦横の向きを修正できるとは言い難かった。
【０００４】
また一方で、従来、画像記憶装置に記憶されている画像データのサムネイル画像を携帯端末に一覧表示させ、ユーザが、この携帯端末を操作して所望のサムネイル画像を選択すると、選択されたサムネイル画像に対応する画像データが、画像記憶装置から携帯端末に転送されるデータ転送システムが提案されている（例えば特許文献１参照）。
【先行技術文献】
【特許文献】
【０００５】
【特許文献１】特開２０１４−３５６５７号公報
【発明の概要】
【発明が解決しようとする課題】
【０００６】
このデータ転送システムを利用すれば、画像読取装置で原稿から読み取った画像データのサムネイル画像を携帯端末に一覧表示させることで、画像データの縦横の向きをユーザに確認させ、縦横向きが原稿と一致していない画像データを、携帯端末に転送して、携帯端末側で画像データの縦横向きを修正することが可能になる。しかしながら、この場合、ユーザは、原稿のサムネイル画像を１つずつ確認して縦横向きが原稿と一致していない画像データを携帯端末に転送させ、携帯端末側でこの画像データの縦横向きを修正しなければならず、結局のところ、容易に画像データの縦横向きを修正できるとは言い難かった。
【０００７】
このように、従来の技術では、原稿から読み取った画像データの縦横向きを容易に修正することができないという問題を有していた。
【０００８】
本発明は以上の点を考慮したものであり、原稿から読み取った画像データの縦横向きを、従来と比べて容易に修正することができる画像処理システム、画像読取装置、及び画像処理方法を提案しようとするものである。
【課題を解決するための手段】
【０００９】
本発明の画像処理システムは、長方形板状の携帯端末と、当該携帯端末と通信接続された画像読取装置とを有する画像処理システムであって、前記携帯端末は、前記携帯端末の姿勢を検出する端末姿勢検出部と、前記端末姿勢検出部により検出された前記携帯端末の姿勢を示す端末姿勢情報を、前記画像読取装置に送信する端末側通信部とを有し、前記画像読取装置は、原稿を読み取る読取部と、前記携帯端末から前記端末姿勢情報を受信する装置側通信部と、前記読取部により長方形の原稿から読み取られた画像データの縦横向きが縦長となる向きであるか横長となる向きであるかを検出する画像データ向き検出部と、前記装置側通信部により受信された前記端末姿勢情報と、前記画像データ向き検出部により検出された前記画像データの縦横向きとに基づいて、前記携帯端末の縦横向きと前記画像データの縦横向きとが一致するように、前記画像データを編集する画像編集部とを有する。
【００１０】
また本発明の画像処理方法は、通信部が、長方形板状の携帯端末から当該携帯端末の姿勢を示す端末姿勢情報を受信し、読取部が、長方形の原稿を読み取り、画像データ向き検出部が、前記読取部が前記原稿から読み取った画像データの縦横向きが縦長となる向きであるか横長となる向きであるかを検出し、画像編集部が、前記通信部により受信された前記端末姿勢情報と、前記画像データ向き検出部により検出された前記画像データの縦横向きとに基づいて、前記携帯端末の縦横向きと前記画像データの縦横向きとが一致するように、前記画像データを編集する。
【００１１】
これにより、例えば、ユーザが縦長の原稿に合わせて携帯端末を縦長となる向きにするだけで、画像読取装置が原稿から読み取った画像データの縦横向きが横長となる向きであった場合に、この画像データの縦横向きを、携帯端末の縦横向きに合わせて（つまり原稿の縦横向きに合わせて）自動的に縦長となる向きに修正することができる。
【発明の効果】
【００１２】
本発明は、原稿から読み取った画像データの縦横向きを、従来と比べて容易に修正することができる画像処理システム、画像読取装置、及び画像処理方法を実現できる。
【図面の簡単な説明】
【００１３】
【図１】第１の実施の形態による画像処理システムの構成を示す図である。
【図２】第１の実施の形態による複合機の外観構成を示す斜視図及び断面図である。
【図３】第１の実施の形態による複合機の機能構成を示すブロック図である。
【図４】第１の実施の形態によるスキャン画像データの縦横向きを示す図である。
【図５】第１の実施の形態による携帯端末の縦横向きを示す図である。
【図６】第１の実施の形態による原稿の縦横向きを示す図である。
【図７】第１の実施の形態による携帯端末の機能構成を示すブロック図である。
【図８】第１の実施の形態による画像処理システムの動作を示すシーケンスチャートである。
【図９】第１の実施の形態による画像編集パラメータを更新する動作を示すフローチャートである。
【図１０】第１の実施の形態による原稿をセットするときの組み合わせパターンを示す表である。
【図１１】第２の実施の形態による画像処理システムの動作を示すシーケンスチャートである。
【図１２】第２の実施の形態による複数枚の原稿の縦横向きと、各原稿を読み取るときの携帯端末の縦横向きとを示す図である。
【図１３】第２の実施の形態による原稿有無選択画面の構成を示す図である。
【図１４】第３の実施の形態による携帯端末の機能構成を示すブロック図である。
【図１５】第３の実施の形態による画像処理システムの動作を示すシーケンスチャートである。
【図１６】図１５に示すシーケンスチャートにつづくシーケンスチャートである。
【図１７】第３の実施の形態による原稿の縦横向きと、携帯端末の縦横向きと、スキャン画像データの縦横向きとを示す図である。
【図１８】第３の実施の形態によるプレビュー画像データの縦横向きを携帯端末側で修正するときの画面遷移を示す図である。
【図１９】第３の実施の形態によるページ別端末姿勢情報の構成を示す図である。
【発明を実施するための形態】
【００１４】
以下、発明を実施するための形態（以下、これを実施の形態と呼ぶ）について、図面を用いて詳細に説明する。
【００１５】
［１．第１の実施の形態］
［１−１．画像処理システムの構成］
図１に、第１の実施の形態による、画像処理システム１の構成を示す。この画像処理システム１は、画像読取装置としての複合機１０と携帯端末２０とで構成され、複合機１０と携帯端末２０とが通信接続可能となっている。
【００１６】
複合機１０は、スキャナの機能に加えて、コピー、プリンタ、ファクシミリなどの機能を有する機器である。尚、ここでは、複合機１０の機能のうち、スキャナ以外のコピー、プリンタ、ファクシミリなどの機能については、説明を省略する。
【００１７】
この複合機１０は、図２（Ａ）に外観斜視図を示すように、略箱型の筐体１１の上端部に、原稿を載置する原稿台１２が設けられ、さらにこの原稿台１２の上に自動原稿送り装置１３が設けられている。尚、原稿台１２は、以下、ＦＢ（ＦｌａｔＢｅｄ）１２と呼び、自動原稿送り装置１３は、以下、ＡＤＦ（Ａｕｔｏ  Ｄｏｃｕｍｅｎｔ  Ｆｅｅｄｅｒ）１３と呼ぶ。ＡＤＦ１３は、複数枚の原稿を１枚ずつ順番に読み取る装置であり、ＦＢ１２を覆う閉状態からＦＢ１２を露出する開状態へ、及びその逆へと開閉可能となっている。つまり複合機１０は、ＡＤＦ１３を開くことでＦＢ１２に原稿を載置することができ、ＡＤＦ１３を閉じることでＡＤＦ１３に複数枚の原稿をセットすることができるようになっている。
【００１８】
さらに複合機１０は、筐体１１の前側に操作パネル１４が設けられている。この操作パネル１４には、例えば、タッチパネルディスプレイ１５と、ハードキー１６とが設けられている。タッチパネルディスプレイ１５は、複合機１０に関する各種情報（動作状態、各種設定、アイコンなど）を表示したり、タッチ操作による入力を受け付けたりする。ハードキー１６は、テンキーやスタートキーなどで構成され、複合機１０に対して各種設定値を入力したり、動作を開始させたりするときに操作される。
【００１９】
さらにこの操作パネル１４には、携帯端末２０を載置する端末台１７が設けられている。この端末台１７の内部には、図示しないＮＦＣ（Ｎｅａｒ  Ｆｉｅｌｄ  Ｃｏｍｍｕｎｉｃａｔｉｏｎ）モジュールが設けられていて、複合機１０は、この端末台１７に携帯端末２０が載置されると、このＮＦＣモジュールにより携帯端末２０とＮＦＣによる近距離無線通信を行うようになっている。また図２（Ｂ）に端末台１７の断面図を示すように、端末台１７の載置面１７ｓは、上端より下端が前方に位置するように傾けられた傾斜面となっていて、携帯端末２０を横長となる向きでも縦長となる向きでも載置できるようになっている。
【００２０】
さらに複合機１０は、有線ＬＡＮ又は無線ＬＡＮによりネットワークに接続可能であり、原稿から読み取ったスキャン画像データを、ファイルサーバに送信したり、設定された電子メールのアドレスに送信したりできるようにもなっている。
【００２１】
一方、図１に示すように、携帯端末２０は、長方形薄板状であり、前面に長方形のタッチパネルディスプレイ２１を有している。この携帯端末２０は、内部に図示しないＮＦＣモジュールと、携帯端末２０の姿勢を検出する傾きセンサとが設けられていて、複合機１０の端末台１７に載置されると、ＮＦＣモジュールにより複合機１０と近距離無線通信を行うことで、傾きセンサにより検出された携帯端末２０の姿勢を示す端末姿勢情報を、複合機１０に送信するようになっている。
【００２２】
このように、複合機１０と携帯端末２０は、ＮＦＣによる近距離無線通信が可能となっている。さらに複合機１０と携帯端末２０は、無線ＬＡＮ及びＢｌｕｅｔｏｏｔｈ（登録商標）による無線通信も可能となっている。画像処理システム１の構成は、以上のようになっている。以下、複合機１０及び携帯端末２０の機能構成、及び画像処理システム１全体の動作について詳しく説明する。
【００２３】
［１−２．複合機の構成］
図３に、複合機１０の機能構成を示す。複合機１０は、主要な機能構成として、スキャナ部１００と、操作表示部１０１と、通信部１０２と、制御部１０３と、記憶部１０４とを有している。
【００２４】
スキャナ部１００は、ＦＢ１２、ＡＤＦ１３、図示しないイメージセンサを含み、ＦＢ１２に載置された原稿もしくはＡＤＦ１３により順に送り出された原稿をイメージセンサで読み取って画像データ（以下、スキャン画像データと呼ぶ）Ｄ１０を生成し、これを記憶部１０４に記憶する。尚、ここでは、スキャナ部１００により読み取られる原稿が、縦と横の長さが異なる長方形の原稿であるとする。ゆえに、この原稿から読み取られたスキャン画像データＤ１０も、縦と横のピクセル数が異なる長方形の画像データとなる。
【００２５】
操作表示部１０１は、操作パネル１４を含み、タッチパネルディスプレイ１５への表示、タッチパネルディスプレイ１５に対するタッチ操作の受け付け、ハードキー１６に対する操作の受け付けなどを行う。具体的に操作表示部１０１は、例えば、タッチパネルディスプレイ１５に、電子メールアドレスや、スキャン画像データＤ１０に対する編集内容などを設定可能な設定画面を表示させ、ユーザによるタッチパネルディスプレイ１５に対するタッチ操作及びハードキー１６に対する操作に応じて電子メールアドレスの設定や、スキャン画像データＤ１０に対する編集内容の設定などを行う。設定画面上で設定された電子メールアドレスは、制御部１０３により、図示しない電子メールアドレス情報として記憶部１０４に記憶され、設定画面上で設定されたスキャン画像データＤ１０に対する編集内容は、画像編集パラメータＤ１３として記憶部１０４に記憶される。尚、画像編集パラメータＤ１３には、例えば、スキャン画像データＤ１０に対して回転処理を実行するときに用いる回転角度パラメータなどにくわえて、原稿をＦＢ１２で読み取るかＡＤＦ１３で読み取るかを示す読取デバイス情報なども含まれている。
【００２６】
通信部１０２は、図示しないＮＦＣモジュール、有線ＬＡＮアダプタ、無線ＬＡＮモジュール、Ｂｌｕｅｔｏｏｔｈモジュールを含み、携帯端末２０との通信（ＮＦＣ、無線ＬＡＮ、Ｂｌｕｅｔｏｏｔｈ）、ファイルサーバとの通信（有線ＬＡＮ、無線ＬＡＮ）、電子メールの送信（有線ＬＡＮ、無線ＬＡＮ）などを行う。
【００２７】
制御部１０３は、図示しないＣＰＵを中心に構成され、記憶部１０４に格納されている各種プログラムを読み出して実行することにより、スキャナ部１００、操作表示部１０１、通信部１０２、記憶部１０４を制御して、スキャン処理、通信処理、画像処理などの各種処理を実行する。さらにこの制御部１０３は、記憶部１０４に格納されている各種プログラムを読み出して実行することにより、画像長短辺検出部１０３Ａ、原稿縦横向き判定部１０３Ｂ、画像編集パラメータ制御部１０３Ｃ、画像編集部１０３Ｄとして機能する。
【００２８】
画像長短辺検出部１０３Ａは、記憶部１０４に記憶されたスキャン画像データ（つまりスキャナ部１００により長方形の原稿から読み取られた長方形の画像データ）Ｄ１０から長辺と短辺とを検出する。そして、画像長短辺検出部１０３Ａは、この検出結果をもとに、スキャン画像データＤ１０の上端が長辺か短辺かを示すスキャン画像長短辺情報Ｄ１１を生成して、これを記憶部１０４に記憶する。尚、スキャン画像データＤ１０の上端が短辺であれば、このことは図４（Ａ）に示すようにスキャン画像データＤ１０が縦長の画像データであることを意味し、スキャン画像データＤ１０の上端が長辺であれば、このことは図４（Ｂ）に示すようにスキャン画像データＤ１０が横長の画像データであることを意味する。つまり、スキャン画像長短辺情報Ｄ１１は、スキャン画像データＤ１０の縦横向きが縦長の向きであるか横長の向きであるかを示す情報であると言える。換言すると、画像長短辺検出部１０３Ａは、スキャン画像データＤ１０の長辺と短辺とを検出することにより、スキャン画像データＤ１０の縦横向きが縦長の向きであるか横長の向きであるかを検出するようになっている。
【００２９】
原稿縦横向き判定部１０３Ｂは、端末台１７に載置された携帯端末２０から通信部１０２を介して受信した端末姿勢情報に基づき、端末台１７に載置された携帯端末２０の縦横向きを判定する。具体的に原稿縦横向き判定部１０３Ｂは、端末姿勢情報に基づき、携帯端末２０の縦横向きが、図５（Ａ）に示すような縦長となる向きであるか、図５（Ｂ）もしくは図５（Ｃ）に示すような横長となる向きであるかを判定する。そして原稿縦横向き判定部１０３Ｂは、判定した携帯端末２０の縦横向きに基づき、原稿の縦横向きを判定する。具体的に原稿縦横向き判定部１０３Ｂは、携帯端末２０の縦横向きが縦長の向きであれば、図６（Ａ）に示すように、これから読み取る原稿Ｍｓの縦横向きが、縦長のポートレートとなる向きであると判定し、携帯端末２０の縦横向きが横長の向きであれば、図６（Ｂ）に示すように、これから読み取る原稿Ｍｓの縦横向きが、横長のランドスケープとなる向きであると判定する。そして原稿縦横向き判定部１０３Ｂは、この判定結果をもとに、原稿Ｍｓの縦横向きが縦長のポートレートとなる向きであるか横長のランドスケープとなる向きであるかを示す原稿縦横向き情報Ｄ１２を生成して、これを記憶部１０４に記憶する。このように、原稿縦横向き判定部１０３Ｂは、端末台１７に載置された携帯端末２０の縦横向きに基づいて、原稿Ｍｓの縦横向きを判定するようになっている。
【００３０】
画像編集パラメータ制御部１０３Ｃは、記憶部１０４に記憶されたスキャン画像長短辺情報Ｄ１１と原稿縦横向き情報Ｄ１２とに基づき、スキャン画像データＤ１０の縦横向きが原稿Ｍｓの縦横向きに合うようにスキャン画像データＤ１０を回転させるための回転角度パラメータを導出する。そして、画像編集パラメータ制御部１０３Ｃは、記憶部１０４に記憶された画像編集パラメータＤ１３に含まれている回転角度パラメータを、導出した回転角度パラメータで上書き更新する。
【００３１】
画像編集部１０３Ｄは、記憶部１０４に記憶された画像編集パラメータＤ１３に基づいて、記憶部１０４に記憶されたスキャン画像データＤ１０に対する画像処理を行う。具体的に画像編集部１０３Ｄは、画像編集パラメータ制御部１０３Ｃにより更新された画像編集パラメータＤ１３に基づいて、スキャン画像データＤ１０に対する画像処理を行う。
【００３２】
記憶部１０４は、図示しないＲＯＭ、ＲＡＭ、フラッシュメモリなどで構成される記憶装置であり、各種プログラムを格納する。また記憶部１０４は、スキャン画像データＤ１０、スキャン画像長短辺情報Ｄ１１、原稿縦横向き情報Ｄ１２、画像編集パラメータＤ１３を記憶する。複合機１０の機能構成は、以上のようになっている。
【００３３】
［１−３．携帯端末の構成］
つづけて図７に携帯端末２０の機能構成を示す。携帯端末２０は、例えば、スマートフォンであり、主要な機能構成として、傾きセンサ２００と、操作表示部２０１と、無線通信部２０２と、制御部２０３と、記憶部２０４とを有している。
【００３４】
傾きセンサ２００は、例えば加速度センサや角速度センサであり、図５（Ａ）に示すように携帯端末２０の一方の短辺である上端２０ｕが上側、他方の短辺である下端２０ｄが下側となる向き（つまり縦長となる向き）で、且つ携帯端末２０を正面から見たときの携帯端末２０の長辺方向が鉛直方向と平行になる向きを基準として、携帯端末２０を正面から見たときの鉛直方向に対する携帯端末２０の長辺方向の傾きを検出する。そして傾きセンサ２００は、検出した傾きを端末姿勢情報Ｄ２０として出力する。具体的に、例えば図５（Ａ）に示すように携帯端末２０の縦横向きが縦長となる向きの場合、端末姿勢情報Ｄ２０は０度近傍の角度を示し、図５（Ｂ）もしくは図５（Ｃ）に示すように携帯端末２０の縦横向きが横長となる向きの場合、端末姿勢情報Ｄ２０は＋９０度近傍の角度もしくは−９０度近傍の角度を示す。尚、傾きセンサ２００は、例えば、携帯端末２０を基準となる向きから左側（正面から見て反時計回り方向）に回転させると＋の角度、右側（正面から見て時計回り方向）に回転させると−の角度となる端末姿勢情報Ｄ２０を出力するようになっている。
【００３５】
無線通信部２０２（図７）は、図示しないＮＦＣモジュール、無線ＬＡＮモジュール、Ｂｌｕｅｔｏｏｔｈモジュールを含み、複合機１０との無線通信を行う。具体的に無線通信部２０２は、例えばＮＦＣモジュールにより複合機１０と近距離無線通信を行うことで、傾きセンサ２００から出力された端末姿勢情報Ｄ２０を複合機１０に送信する。
【００３６】
操作表示部２０１は、タッチパネルディスプレイ２１（図１）を含み、タッチパネルディスプレイ２１への表示、タッチパネルディスプレイ２１に対するタッチ操作の受け付けなどを行う。制御部２０３は、図示しないＣＰＵを中心に構成され、記憶部２０４に格納されている各種プログラムや各種アプリケーション（以下、アプリと省略）を読み出して実行することにより、傾きセンサ２００、操作表示部２０１、無線通信部２０２、記憶部２０４を制御して各種処理を実行する。記憶部２０４は、図示しないＲＯＭ、ＲＡＭ、フラッシュメモリなどで構成される記憶装置であり、各種プログラムや各種アプリを格納する。携帯端末２０の機能構成は、以上のようになっている。
【００３７】
［１−４．画像処理システムの動作］
次に、図８に示すシーケンスチャートを用いて画像処理システム１全体の動作について説明する。この動作は、原稿Ｍｓを読み取り、得られたスキャン画像データＤ１０を必要に応じて編集した後、電子メールとして送信するときの動作である。また図８に示すシーケンスチャートは、ステップＳＰ１０〜ＳＰ１８が複合機１０側の動作を示し、ステップＳＰ２０〜ＳＰ２２が携帯端末２０側の動作を示している。複合機１０側の動作は、複合機１０の制御部１０３が記憶部２０４から読み出したプログラムに従って行う動作であり、携帯端末２０側の動作は、携帯端末２０の制御部２０３が記憶部１０４から読み出したプログラムに従って行う動作である。
【００３８】
ユーザにより携帯端末２０が複合機１０に近づけられると、複合機１０と携帯端末２０は、ステップＳＰ１０とステップＳＰ２０とにおいて、予め互いに登録しているＢｌｕｅｔｏｏｔｈ通信の認証（ペアリング）を行い、Ｂｌｕｅｔｏｏｔｈ通信を確立させる。
【００３９】
複合機１０は、つづくステップＳＰ１１において、操作表示部１０１に設定画面を表示させ、ユーザによる、電子メールアドレスの設定や、スキャン画像データＤ１０に対する編集内容の設定を受け付ける。この設定画面を介して、電子メールアドレスの設定や、スキャン画像データＤ１０に対する編集内容の設定がユーザにより行われると、複合機１０は、設定された電子メールアドレスを電子メールアドレス情報として記憶部１０４に記憶し、設定されたスキャン画像データＤ１０に対する編集内容を画像編集パラメータＤ１３として記憶部１０４に記憶する。
【００４０】
複合機１０は、つづくステップＳＰ１２において、通信部１０２のＮＦＣモジュールもしくはＢｌｕｅｔｏｏｔｈモジュールが携帯端末２０から端末姿勢情報Ｄ２０を受信するまで待ち受ける。
【００４１】
一方、携帯端末２０は、Ｂｌｕｅｔｏｏｔｈ通信が確立すると、制御部２０３が記憶部２０４からスキャナアプリを読み出して実行する。携帯端末２０は、以降、このスキャナアプリにより動作する。携帯端末２０は、ユーザにより複合機１０の端末台１７に載置されると、ステップＳＰ２１において、無線通信部２０２のＮＦＣモジュールが起動して、複合機１０との間でＮＦＣ通信を確立させる。別の言い方をすると、複合機１０とのＮＦＣ通信が確立したということは、携帯端末２０が複合機１０の端末台１７に載置されたことを意味する。
【００４２】
このとき、ユーザは、携帯端末２０の縦横向きを、複合機１０で読み取る原稿Ｍｓの縦横向きに合わせた状態で複合機１０の端末台１７に載置する。つまりユーザは、例えば、原稿Ｍｓの縦横向きが縦長のポートレートとなる向きであるならば、携帯端末２０を縦長となる向きで複合機１０の端末台１７に載置する。
【００４３】
携帯端末２０は、つづくステップＳＰ２２において、傾きセンサ２００から得られた端末姿勢情報Ｄ２０（つまり端末台１７に載置された携帯端末２０の縦横向きを示す端末姿勢情報Ｄ２０）を、ＮＦＣ通信もしくはＢｌｕｅｔｏｏｔｈ通信により複合機１０に送信する。このように、ユーザは、携帯端末２０の縦横向きを原稿Ｍｓの縦横向きに合わせて複合機１０の端末台１７に載置するだけの直感的な簡単な操作で、原稿Ｍｓの縦横向きを複合機１０に指示することができるようになっている。携帯端末２０側の動作は以上で終了する。
【００４４】
複合機１０は、通信部１０２のＮＦＣモジュールもしくはＢｌｕｅｔｏｏｔｈモジュールが携帯端末２０から端末姿勢情報Ｄ２０を受信すると、上述のステップＳＰ１２で肯定結果を得て、ステップＳＰ１３に移る。ステップＳＰ１３において、複合機１０は、原稿縦横向き判定部１０３Ｂにより、端末姿勢情報Ｄ２０に基づいて原稿Ｍｓの縦横向きを示す原稿縦横向き情報Ｄ１２を導出する。具体的に原稿縦横向き判定部１０３Ｂは、端末姿勢情報Ｄ２０が０度近傍（例えば０度±４５度の範囲）の角度を示している場合、原稿Ｍｓの縦横向きが縦長のポートレートとなる向きであると判定して、その旨を示す原稿縦横向き情報Ｄ１２を記憶部１０４に記憶する。一方で、端末姿勢情報Ｄ２０が＋９０度近傍（例えば＋９０度±４５度の範囲）又は−９０度近傍（例えば−９０±４５度の範囲）の角度を示している場合、原稿縦横向き判定部１０３Ｂは、原稿Ｍｓの縦横向きが横長のランドスケープとなる向きであると判定して、その旨を示す原稿縦横向き情報Ｄ１２を記憶部１０４に記憶する。尚、端末姿勢情報Ｄ２０に示されている角度が縦向きと横向きの中間である＋４５度又は−４５度の場合、例えば、原稿Ｍｓの縦横向きが縦長のポートレートとなる向きであると判定すればよい。
【００４５】
複合機１０は、原稿縦横向き情報Ｄ１２を記憶部１０４に記憶した後、ステップＳＰ１４に移る。ここで、ユーザは、原稿ＭｓをＦＢ１２又はＡＤＦ１３にセットした状態で、ハードキー１６のスタートキーを押下する。
【００４６】
複合機１０は、ステップＳＰ１４において、スタートキーの押下に応じて、スキャナ部１００により原稿Ｍｓを読み取ってスキャン画像データＤ１０を生成し、これを記憶部１０４に記憶する。
【００４７】
つづくステップＳＰ１５において、複合機１０は、画像長短辺検出部１０３Ａにより、記憶部１０４に記憶されたスキャン画像データＤ１０から長辺と短辺とを検出してスキャン画像データＤ１０の上端が長辺か短辺かを示すスキャン画像長短辺情報Ｄ１１を生成し、これを記憶部１０４に記憶する。
【００４８】
つづくステップＳＰ１６において、複合機１０は、画像編集パラメータ制御部１０３Ｃにより、記憶部１０４に記憶されたスキャン画像長短辺情報Ｄ１１と原稿縦横向き情報Ｄ１２とに基づき、記憶部１０４に記憶された画像編集パラメータＤ１３を更新する。具体的に、画像編集パラメータ制御部１０３Ｃは、記憶部１０４に記憶されたスキャン画像長短辺情報Ｄ１１と原稿縦横向き情報Ｄ１２とに基づき、記憶部１０４に記憶されたスキャン画像データＤ１０の縦横向きが原稿Ｍｓの縦横向きに合うようにスキャン画像データＤ１０を回転させるための回転角度パラメータを導出し、導出した回転角度パラメータで、画像編集パラメータＤ１３に含まれている回転角度パラメータを更新する。
【００４９】
ここで、ステップＳＰ１６で画像編集パラメータ制御部１０３Ｃが実行する画像編集パラメータＤ１３の更新処理、つまり回転角度パラメータの更新処理について、図９に示すフローチャートと、図１０に示すパターン表を用いて詳しく説明する。
【００５０】
図１０に示すパターン表は、原稿Ｍｓの縦横向きとスキャン画像データＤ１０の縦横向きと組み合わせパターンと、組み合わせパターンごとの回転角度パラメータとを示す表であり、画像編集パラメータ制御部１０３Ｃは、このパターン表に沿って回転角度パラメータを導出するようになっている。
【００５１】
ところで、原稿Ｍｓを複合機１０のスキャナ部１００にセットする場合、ユーザは、ユーザから見て原稿Ｍｓの縦横向きが正しくなるように、ＡＤＦ１３又はＦＢ１２に対して、ユーザから見て奥側が原稿Ｍｓの上端、手前側が原稿Ｍｓの下端となるようにして原稿Ｍｓをセットする（組み合わせパターン１、３、６、８参照）か、もしくはＡＤＦ１３又はＦＢ１２から見て原稿Ｍｓの縦横向きが正しくなるように、ＡＤＦ１３又はＦＢ１２の読取開始ラインＬｉに原稿Ｍｓの上端を揃えるようにしてセットする（組み合わせパターン２、４、５、７参照）と考えられる。
【００５２】
そして、ユーザが、ＡＤＦ１３又はＦＢ１２に対して原稿Ｍｓをユーザから見て奥側が原稿Ｍｓの上端、手前側が原稿Ｍｓの下端となるようにしてセットした場合（つまりユーザから見て正しい向きにセットした場合）、原稿Ｍｓの縦横の向きと、スキャン画像データＤ１０の縦横の向きとが異なってくる。つまり、組み合わせパターン１、３、６、８の場合、原稿Ｍｓの縦横の向きに合わせて、スキャン画像データＤ１０の縦横の向きを修正しなくてはならない。
【００５３】
さらに、ユーザがＡＤＦ１３又はＦＢ１２に対して原稿Ｍｓをユーザから見て正しい向きにセットする場合、ユーザが、原稿ＭｓをＡＤＦ１３にセットするか、ＦＢ１２に載置するかで、ユーザから見て原稿Ｍｓの表裏が逆になることから、原稿Ｍｓに対するスキャン画像データＤ１０の回転方向が逆になる（組み合わせパターン１、３、もしくはパターン６、８を参照）。つまり、組み合わせパターン１、３と、組み合わせパターン６、８とでは、スキャン画像データＤ１０の縦横の向きを修正する際の回転方向が逆になる。
【００５４】
このように、ユーザが原稿Ｍｓをスキャナ部１００にセットするときの組み合わせパターンは、原稿Ｍｓが縦長のポートレートであるか横長のランドスケープであるかの２通りと、原稿Ｍｓがユーザから見て正しい向きにセットされたかＡＤＦ１３又はＦＢ１２に対して正しい向きにセットされたかの２通りと、原稿ＭｓをＡＤＦ１３にセットするかＦＢ１２にセットするかの２通りとを乗算した計８パターンが考えられる。ゆえに、パターン表には、８パターン分の組み合わせパターンが示されている。尚、パターン表に示す８つの組み合わせパターン以外の組み合わせパターン（例えばＡＤＦ１３又はＦＢ１２に対して原稿Ｍｓをユーザから見て奥側が原稿Ｍｓの下端、手前側が原稿Ｍｓの上端となるようにしてセットする組み合わせパターン）も考えらえるが、実際にユーザが８つの組み合わせパターン以外の組み合わせパターンで原稿Ｍｓをセットする確率は８つの組み合わせパターンと比較して非常に低いと考えられるので、ここでは省略する。
【００５５】
このパターン表を用いて、以下、回転角度パラメータの更新処理について詳しく説明する。画像編集パラメータ制御部１０３Ｃは、まず図９のステップＳＰ３０において、記憶部１０４に記憶された原稿縦横向き情報Ｄ１２に示されている原稿Ｍｓの縦横向きが縦長のポートレートとなる向きであるかどうかを判定する。ここで、原稿Ｍｓの縦横向きが縦長のポートレートとなる向きであった場合、画像編集パラメータ制御部１０３Ｃは、ステップＳＰ３０で肯定結果を得てステップＳＰ３１に移り、原稿Ｍｓの縦横向きが横長のランドスケープとなる向きであった場合、ステップＳＰ３０で否定結果を得てステップＳＰ３２に移る。
【００５６】
ステップＳＰ３１において、画像編集パラメータ制御部１０３Ｃは、記憶部１０４に記憶されたスキャン画像長短辺情報Ｄ１１に、スキャン画像データＤ１０の上端が短辺であると示されているかどうかを判定する。ここで、スキャン画像データＤ１０の上端が短辺であった場合、このことは、今回の原稿読取時の組み合わせパターンが、パターン表に示す組み合わせパターン２又は組み合わせパターン４であることを意味する。このとき、画像編集パラメータ制御部１０３Ｃは、ステップＳＰ３１で肯定結果を得てステップＳＰ３３に移る。
【００５７】
またステップＳＰ３２でも同様に、画像編集パラメータ制御部１０３Ｃは、記憶部１０４に記憶されたスキャン画像長短辺情報Ｄ１１に、スキャン画像データＤ１０の上端が短辺であると示されているかどうかを判定する。ここで、スキャン画像データＤ１０の上端が長辺であった場合、このことは、今回の原稿読取時の組み合わせパターンが、パターン表に示す組み合わせパターン５又は組み合わせパターン７であることを意味する。このとき、画像編集パラメータ制御部１０３Ｃは、ステップＳＰ３２で否定結果を得てステップＳＰ３３に移る。
【００５８】
ステップＳＰ３３において、画像編集パラメータ制御部１０３Ｃは、記憶部１０４に記憶された画像編集パラメータＤ１３に含まれている回転角度パラメータを、「回転無し」で上書きする。
【００５９】
これに対して、上述のステップＳＰ３１で否定結果を得た場合（つまり原稿Ｍｓがポートレートでスキャン画像データＤ１０の上端が長辺である場合）、及び上述のステップＳＰ３２で肯定結果を得た場合（つまり原稿Ｍｓがランドスケープでスキャン画像データＤ１０の上端が短辺である場合）、画像編集パラメータ制御部１０３Ｃは、ステップＳＰ３４に移る。
【００６０】
ステップＳＰ３４において、画像編集パラメータ制御部１０３Ｃは、原稿ＭｓをＡＤＦ１３で読み取ったかどうかを判定する。ここで、原稿ＭｓをＦＢ１２に載置して読み取った場合、このことは、今回の原稿読取時の組み合わせパターンが、パターン表に示す組み合わせパターン３又は組み合わせパターン８であることを意味する。このとき、画像編集パラメータ制御部１０３Ｃは、ステップＳＰ３４で否定結果を得てステップＳＰ３５に移る。
【００６１】
ステップＳＰ３５において、画像編集パラメータ制御部１０３Ｃは、記憶部１０４に記憶された画像編集パラメータＤ１３に含まれている回転角度パラメータを、「右９０度回転」で上書きする。
【００６２】
一方で、原稿ＭｓをＡＤＦ１３で読み取った場合、このことは、今回の原稿読取時の組み合わせパターンが、パターン表に示す組み合わせパターン１又は組み合わせパターン６であることを意味する。このとき、画像編集パラメータ制御部１０３Ｃは、上述のステップＳＰ３４で肯定結果を得てステップＳＰ３６に移る。
【００６３】
ステップＳＰ３６において、画像編集パラメータ制御部１０３Ｃは、記憶部１０４に記憶された画像編集パラメータＤ１３に含まれている回転角度パラメータを、「左９０度回転」で上書きする。
【００６４】
このようにして画像編集パラメータ制御部１０３Ｃは、回転角度パラメータを更新するようになっている。複合機１０は、画像編集パラメータ制御部１０３Ｃにより、画像編集パラメータＤ１３に含まれている回転角度パラメータを更新すると、図８に示すステップＳＰ１７に移る。
【００６５】
複合機１０は、ステップＳＰ１７において、ステップＳＰ１６で更新された画像編集パラメータＤ１３に従って、記憶部１０４に記憶されたスキャン画像データＤ１０を編集する。具体的に、複合機１０は、画像編集部１０３Ｄにより、画像編集パラメータＤ１３に含まれている回転角度パラメータに基づき、スキャン画像データＤ１０を回転させる回転処理を実行する。これにより、スキャン画像データＤ１０の縦横向きが、原稿Ｍｓの縦横向きと一致する。
【００６６】
つづくステップＳＰ１８において、複合機１０は、記憶部１０４に記憶されている編集済みのスキャン画像データＤ１０を、通信部１０２により、記憶部１０４に記憶された電子メールアドレス情報が示す電子メールアドレスに送信する。複合機１０側の動作は以上で終了する。画像処理システム１全体の動作は、以上のようになっている。
【００６７】
［１−５．まとめと効果］
ここまで説明したように、第１の実施の形態の画像処理システム１では、ユーザが携帯端末２０の縦横向きを原稿Ｍｓの縦横向きに合わせた状態で複合機１０の端末台１７に載置すると、複合機１０が、携帯端末２０から得られる端末姿勢情報Ｄ２０をもとに、原稿Ｍｓの縦横向きを自動的に判定して、判定した原稿Ｍｓの縦横向きと原稿Ｍｓから読み取ったスキャン画像データＤ１０の縦横向きとが一致するように、スキャン画像データＤ１０を自動的に修正するようにした。つまり、複合機１０は、ユーザが端末台１７に載置した携帯端末２０の縦横向きと、原稿Ｍｓから読み取ったスキャン画像データＤ１０の縦横向きとが一致するように、スキャン画像データＤ１０を自動的に修正する。
【００６８】
こうすることで、第１の実施の形態の画像処理システム１では、複合機１０で原稿Ｍｓから読み取ったスキャン画像データＤ１０のプレビュー画像を確認して、原稿Ｍｓの縦横向きとスキャン画像データＤ１０の縦横向きとが一致するようにスキャン画像データＤ１０の縦横向きを修正するような面倒な作業をユーザに強いることなく、原稿Ｍｓから読み取ったスキャン画像データＤ１０の縦横向きを容易に修正することができる。
【００６９】
また画像処理システム１では、原稿Ｍｓが縦長のポートレートであるか横長のランドスケープであるか（つまり原稿Ｍｓの縦横向き）、原稿Ｍｓがユーザから見て正しい向きにセットされたかＡＤＦ１３又はＦＢ１２に対して正しい向きにセットされたか（つまり原稿Ｍｓをセットする向き）、原稿ＭｓがＡＤＦ１３にセットされたかＦＢ１２にセットされたか（つまり原稿の給紙方法であり手動給紙か自動給紙か）の組み合わせパターンに応じて、複合機１０が、原稿Ｍｓの縦横向きとスキャン画像データＤ１０の縦横向きとを一致させるための回転角度パラメータを導出するようにした。
【００７０】
こうすることで、画像処理システム１では、ユーザに対してＡＤＦ１３又はＦＢ１２にセットするときの原稿Ｍｓの向きを意識させることなく、原稿ＭｓをＡＤＦ１３にセットして読み取った場合でも、ＦＢ１２に載置して読み取った場合でも、原稿Ｍｓの縦横向きとスキャン画像データＤ１０の縦横向きとが一致するように原稿Ｍｓを自動的に修正することができる。
【００７１】
換言すれば、ユーザは、携帯端末２０の縦横向きを原稿Ｍｓの縦横向きに合わせて複合機１０の端末台１７に載置する操作さえ知っていれば、原稿Ｍｓの縦横向きと一致する縦横向きのスキャン画像データＤ１０を複合機１０から得ることができる。
【００７２】
［２．第２の実施の形態］
次に、第２の実施の形態について説明する。この第２の実施の形態は、画像処理システム１全体の動作が、第１の実施の形態とは異なる実施の形態であり、画像処理システム１、複合機１０、携帯端末２０の構成については、第１の実施の形態と同一のため、説明を省略する。ゆえに、ここでは、画像処理システム１全体の動作について説明する。
【００７３】
［２−１．画像処理システムの動作］
図１１に示すシーケンスチャートを用いて第２の実施の形態による画像処理システム１全体の動作について説明する。ここでは、一例として、図１２（Ａ）に示す４枚の原稿Ｍｓ１〜Ｍｓ４を順に読み取り、得られた４つのスキャン画像データＤ１０をそれぞれ必要に応じて編集した後、電子メールとして送信するときの動作について説明する。
【００７４】
尚、４枚の原稿Ｍｓ１〜Ｍｓ４のうち、原稿Ｍｓ１、Ｍｓ３、Ｍｓ４は、縦長のポートレートであり、原稿Ｍｓ２は、横長のランドスケープであるとする。またこれら４枚の原稿Ｍｓ１〜Ｍｓ４を複合機１０で読み取る場合、図１２（Ｂ）に示すように４枚の原稿Ｍｓ１〜Ｍｓ４を複合機１０のＡＤＦ１３に重ねてセットするか、図示しないが４枚の原稿Ｍｓ１〜Ｍｓ４をＦＢ１２に１枚ずつ順にセットすればよい。
【００７５】
図１１に示すシーケンスチャートは、ステップＳＰ１０、ＳＰ１１、ＳＰ４０、ＳＰ１３〜ＳＰ１７、ＳＰ４１、ＳＰ４２、ＳＰ１８が複合機１０側の動作を示し、ステップＳＰ２０、ＳＰ５０、ＳＰ５１が携帯端末２０側の動作を示している。複合機１０側のステップＳＰ１０、ＳＰ１１、ＳＰ１３〜ＳＰ１７、ＳＰ１８は、図８に示すシーケンスチャートと同一又は同等のステップであり、詳しい説明は省略する。また携帯端末２０側のステップＳＰ２０は、図８に示すシーケンスチャートと同一又は同等のステップであり、詳しい説明は省略する。
【００７６】
携帯端末２０は、ステップＳＰ２０により、複合機１０との間でＢｌｕｅｔｏｏｔｈ通信を確立させる。このとき、ユーザは、図１２（Ｂ）に示すように、携帯端末２０の縦横向きを、複合機１０で読み取る１枚目の原稿Ｍｓ１の縦横向きに合わせた状態で複合機１０の端末台１７に載置する。つまり、ユーザは、１枚目の原稿Ｍｓ１が縦長のポートレートであることから、携帯端末２０の縦横向きが縦長となる向きで、複合機１０の端末台１７に載置する。
【００７７】
携帯端末２０は、つづくステップＳＰ５０において、複合機１０からの要求に応じて、傾きセンサ２００から得られた端末姿勢情報Ｄ２０を、無線通信部２０２によるＢｌｕｅｔｏｏｔｈ通信により複合機１０に送信し、ステップＳＰ５１に移る。ステップＳＰ５１において、携帯端末２０は、複合機１０とのＢｌｕｅｔｏｏｔｈ通信が切断されたか否かを判定する。複合機１０とのＢｌｕｅｔｏｏｔｈ通信が切断された場合、携帯端末２０は、このステップＳＰ５１で肯定結果を得て、携帯端末２０側の動作を終了する。一方で、複合機１０とのＢｌｕｅｔｏｏｔｈ通信が切断されていない場合、携帯端末２０は、ステップＳＰ５０に戻る。
【００７８】
一方、複合機１０は、ステップＳＰ１０、ＳＰ１１により、複合機１０との間でＢｌｕｅｔｏｏｔｈ通信を確立させ、電子メールアドレスの設定やスキャン画像データＤ１０に対する編集内容の設定を受け付け、ステップＳＰ４０に移る。
【００７９】
ここで、ユーザは、４枚の原稿Ｍｓ１〜Ｍｓ４をＡＤＦ１３にセット（もしくは１枚目の原稿Ｍｓ１をＦＢ１２にセット）するとともに、上述したように、携帯端末２０の縦横向きを１枚目の原稿Ｍｓ１の縦横向きに合わせた状態で端末台１７に載置したうえで、ハードキー１６のスタートキーを押下する。
【００８０】
ステップＳＰ４０において、複合機１０は、ユーザによりスタートキーが押下されると、通信部１０２によるＢｌｕｅｔｏｏｔｈ通信により携帯端末２０に対して端末姿勢情報Ｄ２０を要求し、ステップＳＰ１３に移る。
【００８１】
複合機１０は、ステップＳＰ１３〜ＳＰ１７により、携帯端末２０から受信した端末姿勢情報Ｄ２０に基づいて原稿縦横向き情報Ｄ１２を導出し、１枚目の原稿Ｍｓ１を読み取ってスキャン画像データＤ１０を生成し、スキャン画像長短辺情報Ｄ１１を生成し、スキャン画像長短辺情報Ｄ１１と原稿縦横向き情報Ｄ１２とに基づいて更新した画像編集パラメータＤ１３によりスキャン画像データＤ１０を編集し、ステップＳＰ４１に移る。複合機１０は、ここまでの動作により、１枚目の原稿Ｍｓ１から読み取った１ページ目のスキャン画像データＤ１０の縦横向きを、１枚目の原稿Ｍｓの縦横向きと一致させる。
【００８２】
つづくステップＳＰ４１において、複合機１０は、続きの原稿Ｍｓがないか否かを判定する。具体的に、複合機１０は、操作表示部１０１によりタッチパネルディスプレイ１５に、図１３に示す原稿有無選択画面Ｓｃ１を表示させる。この原稿有無選択画面Ｓｃ１には、続きの原稿Ｍｓがない場合にユーザがタッチする続き原稿なしボタンＢｔ１と、続きの原稿Ｍｓがある場合にユーザがタッチする続き原稿ありボタンＢｔ２とが配置されている。複合機１０は、この原稿有無選択画面Ｓｃ１の続き原稿なしボタンＢｔ１がタッチされた場合には、続きの原稿Ｍｓがないと判定する一方で、続き原稿ありボタンＢｔ２がタッチされた場合には、続きの原稿Ｍｓがあると判定するようになっている。
【００８３】
ここで、ユーザは、続きの原稿Ｍｓ２〜Ｍｓ４があるため、続き原稿ありボタンＢｔ２をタッチする。すると、複合機１０は、ステップＳＰ４１で否定結果を得て、ステップＳＰ４０に戻る。
【００８４】
ここで、ユーザは、図１２（Ｃ）に示すように、端末台１７に載置されている携帯端末２０の縦横向きをＡＤＦ１３（もしくはＦＢ１２）にセットされた２枚目の原稿Ｍｓ２の縦横向きに合わせたうえで、ハードキー１６のスタートキーを押下する。尚、このときユーザは、携帯端末２０を端末台１７から一旦離すことなく、端末台１７に載置させたまま、例えば縦長の向きから横長の向きとなるように回転させればよい。
【００８５】
すると、複合機１０は、１枚目の原稿Ｍｓ１と同様に、２枚目の原稿Ｍｓ２についても、ステップＳＰ４０、ステップＳＰ１３〜ＳＰ１７、ＳＰ４１の動作を行う。これにより、複合機１０は、２枚目の原稿Ｍｓ２から読み取った２ページ目のスキャン画像データＤ１０の縦横向きを、２枚目の原稿Ｍｓの縦横向きと一致させる。
【００８６】
以降、ユーザは、図１２（Ｄ）、（Ｅ）に示すように、３枚目の原稿Ｍｓ３を読み取るときには、携帯端末２０の縦横向きを３枚目の原稿Ｍｓ３の縦横向きに合わせたうえで、ハードキー１６のスタートキーを押下し、４枚目の原稿Ｍｓ４を読み取るときには、携帯端末２０の縦横向きを４枚目の原稿Ｍｓ４の縦横向きに合わせたうえで、ハードキー１６のスタートキーを押下する。
【００８７】
複合機１０は、１枚目の原稿Ｍｓ１と同様に、３枚目の原稿Ｍｓ３及び４枚目の原稿Ｍｓ４についても、ステップＳＰ４０、ステップＳＰ１３〜ＳＰ１７、ＳＰ４１の動作を行う。これにより、複合機１０は、３枚目の原稿Ｍｓ３から読み取った３ページ目のスキャン画像データＤ１０の縦横向きを、３枚目の原稿Ｍｓの縦横向きと一致させ、４枚目の原稿Ｍｓ４から読み取った４ページ目のスキャン画像データＤ１０の縦横向きを、４枚目の原稿Ｍｓの縦横向きと一致させる。
【００８８】
ここで、ユーザは、原稿Ｍｓ１〜Ｍｓ４全ての読み取りが完了したため、続き原稿なしボタンＢｔ１をタッチする。すると、複合機１０は、ステップＳＰ４１で肯定結果を得て、ステップＳＰ４２に移る。
【００８９】
ステップＳＰ４２において、複合機１０は、通信部１０２により、携帯端末２０との間で確立されているＢｌｕｅｔｏｏｔｈ通信を切断して、ステップＳＰ１８に移り、４ページ分の編集済みのスキャン画像データＤ１０を、通信部１０２により、記憶部１０４に記憶された電子メールアドレス情報が示す電子メールアドレスに送信する。複合機１０側の動作は以上で終了する。第２の実施の形態による画像処理システム１全体の動作は、以上のようになっている。
【００９０】
［２−２．まとめと効果］
ここまで説明したように、第２の実施の形態の画像処理システム１では、複合機１０に複数枚の原稿Ｍｓを連続して読み取らせる場合に、ユーザが、複合機１０の端末台１７に載置した携帯端末２０の縦横向きを、次に読み取らせる原稿Ｍｓの縦横向きに合わせると、複合機１０が、携帯端末２０から得られる端末姿勢情報Ｄ２０をもとに、次に読み取る原稿Ｍｓの縦横向きを自動的に判定して、判定した原稿Ｍｓの縦横向きと原稿Ｍｓから読み取ったスキャン画像データＤ１０の縦横向きとが一致するように、スキャン画像データＤ１０を自動的に修正するようにした。
【００９１】
こうすることで、第２の実施の形態の画像処理システム１では、複合機１０に複数枚の原稿Ｍｓを連続して読み取らせる場合でも、面倒な作業をユーザに強いることなく、端末台１７に載置した携帯端末２０の縦横向きを、次に読み取らせる原稿Ｍｓの縦横向きに合わせてスタートキーを押下する簡易な操作を繰り返すだけで、各原稿Ｍｓから読み取った各ページのスキャン画像データＤ１０の縦横向きを容易に修正することができる。
【００９２】
［３．第３の実施の形態］
次に、第３の実施の形態について説明する。この第３の実施の形態は、画像処理システム１全体の動作が、第１及び第２の実施の形態とは異なる実施の形態である。またこの第３の実施の形態では、携帯端末２０側で生成及び記憶する情報が、第１及び第２の実施の形態より増えている。ゆえに、ここでは、携帯端末２０の構成と、画像処理システム１全体の動作について説明する。
【００９３】
［３−１．携帯端末の構成］
図１４に第３の実施の形態の携帯端末２０の機能構成を示す。図１４に示す携帯端末２０は、主要な機能構成として、傾きセンサ２００と、操作表示部２０１と、無線通信部２０２と、制御部２０３ｘと、記憶部２０４ｘとを有している。図１４に示す傾きセンサ２００、操作表示部２０１、及び無線通信部２０２は、図７に示す傾きセンサ２００、操作表示部２０１、及び無線通信部２０２と同一又は同等であり、詳しい説明は省略する。
【００９４】
記憶部２０４ｘは、図示しないＲＯＭ、ＲＡＭ、フラッシュメモリなどで構成される記憶装置であり、各種プログラムや各種アプリを格納する。また記憶部２０４ｘは、無線通信部２０２により複合機１０から受信したプレビュー画像データＤ２１を記憶する。プレビュー画像データＤ２１は、原稿Ｍｓから読み取ったスキャン画像データＤ１０のプレビュー画像となるデータであり、例えば、スキャン画像データＤ１０より低解像度の画像データである。
【００９５】
さらに記憶部２０４ｘは、制御部２０３ｘにより生成されたページ別端末姿勢情報Ｄ２２を記憶する。ページ別端末姿勢情報Ｄ２２は、携帯端末２０のタッチパネルディスプレイ２１に、プレビュー画像データＤ２１が１ページずつ表示されたときに、傾きセンサ２００から得られたページごとの端末姿勢情報Ｄ２０を示す情報である。このページ別端末姿勢情報Ｄ２２は、詳しくは後述するが、スキャン画像データＤ１０の縦横向きをページごとに修正するときに必要な情報である。
【００９６】
制御部２０３ｘは、記憶部２０４に格納されている各種プログラムや各種アプリを読み出して実行することにより、傾きセンサ２００、操作表示部２０１、無線通信部２０２、記憶部２０４ｘを制御して各種処理を実行する。また制御部２０３ｘは、記憶部２０４に格納されているスキャナアプリを読み出して実行することにより、ページ別端末姿勢情報Ｄ２２を生成するページ別端末姿勢情報生成部２０３Ａとして機能する。第３の実施の形態の携帯端末２０の機能構成は、以上のようになっている。
【００９７】
［３−２．画像処理システムの動作］
次に、図１５、１６に示すシーケンスチャートを用いて第３の実施の形態による画像処理システム１全体の動作について説明する。ここでは、一例として、図１７（Ａ）に示す４枚の原稿Ｍｓ１〜Ｍｓ４を順に読み取り、得られた４ページ分のスキャン画像データＤ１０をそれぞれ必要に応じて編集した後、電子メールとして送信するときの動作について説明する。
【００９８】
尚、４枚の原稿Ｍｓ１〜Ｍｓ４のうち、原稿Ｍｓ１、Ｍｓ３、Ｍｓ４は、縦長のポートレートであり、原稿Ｍｓ２は、横長のランドスケープであるとする。またここでは、図１７（Ｂ）に示すように４枚の原稿Ｍｓ１〜Ｍｓ４を複合機１０のＡＤＦ１３にセットして読み取るとする。
【００９９】
図１５、１６に示すシーケンスチャートは、ステップＳＰ１０〜ＳＰ１３、ＳＰ６０、ＳＰ１５〜ＳＰ１７、ＳＰ６１〜ＳＰ６３、ＳＰ１８が複合機１０側の動作を示し、ステップＳＰ２０〜ＳＰ２２、ＳＰ７０〜ＳＰ７４が携帯端末２０側の動作を示している。複合機１０側のステップＳＰ１０〜ＳＰ１３、ＳＰ１５〜ＳＰ１７、ＳＰ１８は、図８に示すシーケンスチャートと同一又は同等のステップであり、詳しい説明は省略する。また携帯端末２０側のステップＳＰ２０〜ＳＰ２２は、図８に示すシーケンスチャートと同一又は同等のステップであり、詳しい説明は省略する。
【０１００】
携帯端末２０は、ステップＳＰ２０、ＳＰ２１により、複合機１０との間でＢｌｕｅｔｏｏｔｈ通信を確立させ、複合機１０の端末台１７に載置されることにより複合機１０との間でＮＦＣ通信を確立させる。このとき、ユーザは、図１７（Ｂ）に示すように、４枚の原稿Ｍｓ１〜Ｍｓ４のうち、例えば、数が多い縦長のポートレートの原稿Ｍｓ１、Ｍｓ３、Ｍｓ４の縦横向きに、携帯端末２０の縦横向きを合わせた状態で複合機１０の端末台１７に載置する。つづくステップＳＰ２２において、携帯端末２０は、傾きセンサ２００から得られた端末姿勢情報Ｄ２０を、ＮＦＣ通信もしくはＢｌｕｅｔｏｏｔｈ通信により複合機１０に送信して、ステップＳＰ７０に移る。
【０１０１】
一方、複合機１０は、ステップＳＰ１０、ＳＰ１１により、複合機１０との間でＢｌｕｅｔｏｏｔｈ通信を確立させ、電子メールアドレスの設定やスキャン画像データＤ１０に対する編集内容の設定を受け付ける。さらに、複合機１０は、ステップＳＰ１２、ＳＰ１３により、携帯端末２０から端末姿勢情報Ｄ２０を受信し、受信した端末姿勢情報Ｄ２０に基づいて原稿縦横向き情報Ｄ１２を導出し、ステップＳＰ６０に移る。
【０１０２】
ステップＳＰ６０において、複合機１０は、スタートキーの押下に応じて、スキャナ部１００により４枚の原稿Ｍｓ１〜Ｍｓ４を順に読み取って４ページ分のスキャン画像データＤ１０を生成し、これを記憶部１０４に記憶し、ステップＳＰ１５に移る。
【０１０３】
複合機１０は、ステップＳＰ１５〜ＳＰ１７により、４ページ分のスキャン画像データＤ１０のそれぞれについて、スキャン画像長短辺情報Ｄ１１を生成し、スキャン画像長短辺情報Ｄ１１と原稿縦横向き情報Ｄ１２とに基づいて更新した画像編集パラメータＤ１３により編集する。ここで、編集された４ページ分のスキャン画像データＤ１０（Ｄ１０１〜Ｄ１０４）を、図１７（Ｃ）に示す。
【０１０４】
ここでは、ユーザが、縦長のポートレートである原稿Ｍｓ１、Ｍｓ３、Ｍｓ４の縦横向きに携帯端末２０の縦横向きを合わせた状態で端末台１７に載置していて、複合機１０が、端末台１７に載置された携帯端末２０の傾きに基づき、４ページ分のスキャン画像データＤ１０（Ｄ１０１〜Ｄ１０４）全部を編集するようになっていることから、原稿Ｍｓ１、Ｍｓ３、Ｍｓ４から読み取ったスキャン画像データＤ１０１、Ｄ１０３、Ｄ１０４については、縦横向きが、原稿Ｍｓ１、Ｍｓ３、Ｍｓ４の縦横向きと一致する。
【０１０５】
これに対して、スキャン画像データＤ１０２については、携帯端末２０の縦横向きが原稿Ｍｓ２の縦横向きと合っていないために、縦横向きが、原稿Ｍｓ２の縦横向きとは一致しない。よって、原稿Ｍｓ２から読み取ったスキャン画像データＤ１０２については、縦横向きを修正する必要が出てくる。
【０１０６】
そこで、複合機１０は、つづくステップＳＰ６１（図１５）において、スキャン画像データＤ１０１〜Ｄ１０４のそれぞれについて、プレビュー画像データＤ２１を生成し、これをＢｌｕｅｔｏｏｔｈ通信により携帯端末２０に送信して、ステップＳＰ６２に移る。
【０１０７】
携帯端末２０は、ステップＳＰ７０において、無線通信部２０２のＢｌｕｅｔｏｏｔｈモジュールが複合機１０からプレビュー画像データＤ２１を受信するまで待ち受ける。そして携帯端末２０は、無線通信部２０２のＢｌｕｅｔｏｏｔｈモジュールが複合機１０からプレビュー画像データＤ２１を受信すると、このステップＳＰ７０で肯定結果を得て、ステップＳＰ７１に移る。
【０１０８】
ステップＳＰ７１において、携帯端末２０は、受信したプレビュー画像データＤ２１を記憶部２０４ｘに記憶した後、図１８（Ａ）に示すように、記憶したプレビュー画像データＤ２１（Ｄ２１１〜Ｄ２１４）を、タッチパネルディスプレイ２１に１ページずつ順に表示していく。このとき、携帯端末２０は、ページ別端末姿勢情報生成部２０３Ａにより、図１９（Ａ）に示すように、各ページのプレビュー画像データＤ２１を表示しているときに傾きセンサ２００から得られた端末姿勢情報Ｄ２０と、表示しているプレビュー画像データＤ２１のページ番号とを紐付けたページ別端末姿勢情報Ｄ２２を生成し、これを記憶部２０４ｘに記憶して、次のステップＳＰ７２に移る。
【０１０９】
ここで、ユーザは、タッチパネルディスプレイ２１に表示された各ページのプレビュー画像データＤ２１（Ｄ２１１〜Ｄ２１４）を見て、例えば、２ページ目のプレビュー画像データＤ２１２の縦横向きが原稿Ｍｓ２の縦横向きと一致していないと認識する。このとき、ユーザは、タッチパネルディスプレイ２１に対して所定のページ戻し／送り操作（例えばフリック）を行うことにより、タッチパネルディスプレイ２１に２ページ目のプレビュー画像データＤ２１２を修正対象ページとして表示させ、図１８（Ｂ）に示すように、このプレビュー画像データＤ２１２の縦横向きが原稿Ｍｓ２の縦横向きと一致するように（つまりプレビュー画像データＤ２１２の縦横向きがユーザから見て正しい向きとなるように）、携帯端末２０を回転させて縦横向きを変更する。
【０１１０】
携帯端末２０のページ別端末姿勢情報生成部２０３Ａは、図１５に示すステップＳＰ７２において、傾きセンサ２００から得られる端末姿勢情報Ｄ２０が所定角度（例えば４５度）以上変化したことにより、携帯端末２０の縦横向きがユーザにより変更されたことを感知すると、図１８（Ｂ）に示すように、タッチパネルディスプレイ２１上の所定位置に修正ボタンＢｔ１０を表示させる。
【０１１１】
ここで、ユーザは、タッチパネルディスプレイ２１に表示されているプレビュー画像データＤ２１２の縦横向きが正しい向きであることを確認したうえで、修正ボタンＢｔ１０をタッチする。すると、ページ別端末姿勢情報生成部２０３Ａは、図１９（Ｂ）に示すように、このとき傾きセンサ２００から得られた端末姿勢情報Ｄ２０（例えば−９０度）により、記憶部２０４に記憶しているページ別端末姿勢情報Ｄ２２の２ページ目の端末姿勢情報Ｄ２０を上書きすることで、ページ別端末姿勢情報Ｄ２２を更新し、次のステップＳＰ７３に移る。
【０１１２】
図１５に示すステップＳＰ７３において、携帯端末２０は、他に修正するページがないか否かを判定する。具体的に、携帯端末２０は、ユーザにより修正ボタンＢｔ１０がタッチされると、操作表示部２０１により、タッチパネルディスプレイ２１に、図１８（Ｃ）に示す未修正ページ有無選択画面Ｓｃ１０を表示させる。この未修正ページ有無選択画面Ｓｃ１０には、未修正のページがない場合にユーザがタッチする未修正ページなしボタンＢｔ２０と、未修正のページがある場合にユーザがタッチする未修正ページありボタンＢｔ２１とが配置されている。
【０１１３】
携帯端末２０は、この未修正ページ有無選択画面Ｓｃ１０の未修正ページありボタンＢｔ２１がタッチされた場合には、他に修正するページがあると判定し、ステップＳＰ７３で否定結果を得て、ステップＳＰ７２に戻り、他のページのプレビュー画像データＤ２１の縦横向きを修正する（つまりユーザにより携帯端末２０の縦横向きが変更されることに応じてページ別端末姿勢情報Ｄ２２を更新する）。
【０１１４】
一方で、携帯端末２０は、未修正ページ有無選択画面Ｓｃ１０の未修正ページなしボタンＢｔ２０がタッチされた場合には、他に修正するページはないと判定し、ステップＳＰ７３で肯定結果を得て、ステップＳＰ７４に移る。
【０１１５】
また携帯端末２０は、タッチパネルディスプレイ２１に最終ページのプレビュー画像データＤ２１を表示している状態で、ユーザによりページ送り操作が行われた場合も、タッチパネルディスプレイ２１に未修正ページ有無選択画面Ｓｃ１０を表示するようになっている。ユーザは、例えば、タッチパネルディスプレイ２１に表示された各ページのプレビュー画像データＤ２１（Ｄ２１１〜Ｄ２１４）を見て、縦横向きを修正すべきプレビュー画像データＤ２１が１つもないと認識した場合には、タッチパネルディスプレイ２１に最終ページのプレビュー画像データＤ２１が表示されている状態でページ送り操作を行うことにより未修正ページ有無選択画面Ｓｃ１０を表示させ、未修正ページなしボタンＢｔ２０をタッチする。この場合、携帯端末２０は、ステップＳＰ７１の後、ステップＳＰ７２を省略して、ステップＳＰ７３に移り、ステップＳＰ７３で肯定結果を得て、ステップＳＰ７４に移ることになる。尚、図１８に示すユーザインタフェースは一例であり、図１８に示すユーザインタフェースとは異なるユーザインタフェースで、プレビュー画像データＤ２１の表示、ページ切り替え、縦横向きの修正、未修正ページの有無選択を実現させてもよい。
【０１１６】
図１５に示すステップＳＰ７４において、携帯端末２０は、記憶部２０４ｘに記憶されたページ別端末姿勢情報Ｄ２２を、Ｂｌｕｅｔｏｏｔｈ通信により複合機１０に送信する。携帯端末２０側の動作は以上で終了する。
【０１１７】
複合機１０は、ステップＳＰ６２において、通信部１０２のＢｌｕｅｔｏｏｔｈモジュールが携帯端末２０からページ別端末姿勢情報Ｄ２２を受信するまで待ち受ける。そして複合機１０は、通信部１０２のＢｌｕｅｔｏｏｔｈモジュールが携帯端末２０からページ別端末姿勢情報Ｄ２２を受信すると、このステップＳＰ６２で肯定結果を得て、図１６に示すステップＳＰ６３に移る。
【０１１８】
複合機１０は、ステップＳＰ６３において、携帯端末２０から受信したページ別端末姿勢情報Ｄ２２（図１９（Ｂ））に従って、記憶部１０４に記憶されたスキャン画像データＤ１０を再編集し、ステップＳＰ１８に移る。具体的に、複合機１０は、画像編集部１０３Ｄにより、ステップＳＰ１２で携帯端末２０から受信した端末姿勢情報Ｄ２０と、ページ別端末姿勢情報Ｄ２２に含まれている各ページの端末姿勢情報Ｄ２０とを比較する。
【０１１９】
ここで、ページ別端末姿勢情報Ｄ２２に含まれている端末姿勢情報Ｄ２０の中に、ステップＳＰ１２で受信した端末姿勢情報Ｄ２０との差の絶対値が所定角度（例えば４５度）以上ある端末姿勢情報Ｄ２０が存在する場合、このことは、この端末姿勢情報Ｄ２０に対応するページのプレビュー画像データＤ２１の縦横向きが、携帯端末２０側でユーザにより修正されたことを意味する。
【０１２０】
具体的に、ステップＳＰ１２で受信した端末姿勢情報Ｄ２０が０度であり、図１９（Ｂ）に示すページ別端末姿勢情報Ｄ２２に含まれている１、３、４ページ目の端末姿勢情報Ｄ２０が０度、２ページ目の端末姿勢情報Ｄ２０が−９０度であるとすると、２ページ目のプレビュー画像データＤ２１２の縦横向きが、携帯端末２０側で修正されたことを意味する。
【０１２１】
ゆえに、画像編集部１０３Ｄは、ページ別端末姿勢情報Ｄ２２から、ステップＳＰ１２で受信した端末姿勢情報Ｄ２０との差の絶対値が所定角度（例えば４５度）以上ある端末姿勢情報Ｄ２０とそのページ番号とを取得する。
【０１２２】
そして、画像編集部１０３Ｄは、記憶部１０４に記憶されたスキャン画像データＤ１０のうち、ページ別端末姿勢情報Ｄ２２から取得したページ番号に対応するスキャン画像データＤ１０（例えばスキャン画像データＤ１０２）を、ページ別端末姿勢情報Ｄ２２から取得した端末姿勢情報Ｄ２０（例えば−９０度）に基づき再編集する。
【０１２３】
具体的に画像編集部１０３Ｄは、ステップＳＰ１２で受信した端末姿勢情報Ｄ２０から、ページ別端末姿勢情報Ｄ２２から取得した端末姿勢情報Ｄ２０への回転角度を算出して、算出した回転角度に基づき、スキャン画像データＤ１０に対する回転角度パラメータを導出する。このとき、画像編集部１０３Ｄは、ステップＳＰ１２で受信した端末姿勢情報Ｄ２０から、ページ別端末姿勢情報Ｄ２２から取得した端末姿勢情報Ｄ２０への回転角度が例えば−９０度近傍であれば、回転角度パラメータを右９０度に設定し、＋９０度近傍であれば、回転角度パラメータを左９０度に設定する。例えば、ステップＳＰ１２で受信した端末姿勢情報Ｄ２０が０度、ページ別端末姿勢情報Ｄ２２から取得した端末姿勢情報Ｄ２０が−９０度の場合、０度から−９０度への回転角度は−９０度となり、回転角度パラメータは右９０度となる。
【０１２４】
そして、画像編集部１０３Ｄは、このようにして導出した回転角度パラメータに基づき、スキャン画像データＤ１０を回転する回転処理を実行する（つまりスキャン画像データＤ１０を再編集する）。これにより、例えば、図１７（Ｄ）に示すように、スキャン画像データＤ１０２の縦横向きが、原稿Ｍｓ２（図１７（Ａ））の縦横向きと一致する。尚、ここでは、上述の導出方法で回転角度パラメータを導出してスキャン画像データＤ１０を再編集するようにしたが、これに限らず、複合機１０が、ページ別端末姿勢情報Ｄ２２から取得した修正ページの端末姿勢情報Ｄ２０を用いてステップＳＰ１３〜ＳＰ１７と同様の動作を行うことにより、修正ページのスキャン画像データＤ１０を再編集するようにしてもよい。
【０１２５】
また、ページ別端末姿勢情報Ｄ２２に含まれている端末姿勢情報Ｄ２０の中に、ステップＳＰ１２で受信した端末姿勢情報Ｄ２０との差の絶対値が所定角度（例えば４５度）以上ある端末姿勢情報Ｄ２０が存在しない場合、このことは、プレビュー画像データＤ２１の縦横向きが、携帯端末２０側で修正されなかったことを意味する。この場合、複合機１０は、ステップＳＰ６２の後、ステップＳＰ６３を省略して、ステップＳＰ１８に移る。
【０１２６】
つづくステップＳＰ１８において、複合機１０は、４ページ分の編集済みのスキャン画像データＤ１０を、通信部１０２により、記憶部１０４に記憶された電子メールアドレス情報が示す電子メールアドレスに送信する。複合機１０側の動作は以上で終了する。第３の実施の形態による画像処理システム１全体の動作は、以上のようになっている。
【０１２７】
［３−３．まとめと効果］
ここまで説明したように、第３の実施の形態の画像処理システム１では、複合機１０に複数枚の原稿Ｍｓを連続して読み取らせる場合に、ユーザが、携帯端末２０の縦横向きを、複数枚の原稿Ｍｓのうちのいずれかの縦横向きに合わせた状態で端末台１７に載置すると、複合機１０が、携帯端末２０から得られる端末姿勢情報Ｄ２０をもとに、複数枚の原稿Ｍｓを順に読み取り、各原稿Ｍｓの縦横向きを自動的に判定して、判定した各原稿Ｍｓの縦横向きと各原稿Ｍｓから読み取った各ページのスキャン画像データＤ１０の縦横向きとが一致するように、各ページのスキャン画像データＤ１０を自動的に修正するようにした。
【０１２８】
さらに、この第３の実施の形態の画像処理システム１では、複合機１０側で修正された全ページのスキャン画像データＤ１０のそれぞれに対応するプレビュー画像データＤ２１を、携帯端末２０に送信して携帯端末２０に表示させることにより、全ページのスキャン画像データＤ１０の縦横向きを、プレビュー画像データＤ２１の縦横向きとしてユーザに確認させるようにした。
【０１２９】
そして、この第３の実施の形態の画像処理システム１では、ユーザが任意のプレビュー画像データＤ２１を携帯端末２０に表示させている状態で、このプレビュー画像データＤ２１の縦横向きが所望の向きとなるように携帯端末２０の縦横向きを変更する操作（つまり携帯端末２０を回転させる操作）が行われると、この操作に応じて、このとき携帯端末２０に表示されているプレビュー画像データＤ２１に対応するスキャン画像データＤ１０の縦横向きを、複合機１０側で再修正するようにした。
【０１３０】
こうすることで、第３の実施の形態の画像処理システム１では、例えば、複合機１０で読み取る複数枚の原稿Ｍｓの縦横向きが全て同一である場合には、携帯端末２０の縦横向きを、複数枚の原稿Ｍｓのうちのいずれかの縦横向きに合わせた状態で端末台１７に載置してスタートキーを１回押下するだけの簡易な操作で、各原稿Ｍｓから読み取った各ページのスキャン画像データＤ１０の縦横向きを容易に修正することができる。
【０１３１】
また一方で、第３の実施の形態の画像処理システム１では、複合機１０で読み取る複数枚の原稿Ｍｓの中に、縦横向きが異なる原稿Ｍｓが混在していると、複合機１０側で修正されたスキャン画像データＤ１０のなかに、原稿Ｍｓの縦横向きと一致しないスキャン画像データＤ１０が存在することになるが、この場合、このスキャン画像データＤ１０に対応するプレビュー画像データＤ２１を携帯端末２０に表示させてプレビュー画像データＤ２１の縦横向きが所望の向きとなるように携帯端末２０を回転させるだけの簡易な操作で、このプレビュー画像データＤ２１に対応するスキャン画像データＤ１０の縦横向きを再修正することができる。
【０１３２】
［４．他の実施の形態］
［４−１．他の実施の形態１］
尚、上述した第１の実施の形態では、携帯端末２０が複合機１０の端末台１７に載置された後、複合機１０のスキャナ部１００に原稿Ｍｓがセットされた状態で、複合機１０のスタートキーがユーザにより押下されると、複合機１０が原稿Ｍｓを読み取るようにしたが、これに限らず、複合機１０のスキャナ部１００に原稿Ｍｓがセットされた状態で、携帯端末２０が複合機１０の端末台１７に載置されると、複合機１０が、端末姿勢情報Ｄ２０に基づいて原稿縦横向き情報Ｄ１２を導出した後、自動的に原稿Ｍｓを読み取るようにしてもよい。第３の実施の形態についても同様である。
【０１３３】
また上述した第２の実施の形態では、携帯端末２０が端末台１７に載置されている状態で、スタートキーがユーザにより押下されるごとに、複合機１０が原稿Ｍｓを１枚ずつ読み取るようにしたが、これに限らず、例えば、携帯端末２０が複合機１０の端末台１７に載置されると、複合機１０が、ＮＦＣ通信により携帯端末２０から受信した端末姿勢情報Ｄ２０に基づいて原稿縦横向き情報Ｄ１２を導出した後、自動的に原稿Ｍｓを読み取り、その後、ユーザが携帯端末２０を端末台１７から一旦離して再度端末台１７に載置すると、複合機１０が、端末姿勢情報Ｄ２０に基づいて原稿縦横向き情報Ｄ１２を導出した後、自動的に次の原稿Ｍｓを読み取るようにしてもよい。つまり、携帯端末２０が端末台１７にタッチされるごとに、複合機１０が、原稿Ｍｓを１枚ずつ順に読み取っていくようにしてもよい。
【０１３４】
［４−２．他の実施の形態２］
さらに上述した第１の実施の形態では、携帯端末２０を複合機１０の端末台１７に載置することで、携帯端末２０から複合機１０へ端末姿勢情報Ｄ２０が送信されるようにしたが、これに限らず、携帯端末２０を複合機１０の端末台１７にタッチすることで、携帯端末２０から複合機１０へ端末姿勢情報Ｄ２０が送信されるようにしてもよい。第３の実施の形態についても同様である。尚、このように、携帯端末２０を複合機１０の端末台１７にタッチするようにした場合、第３の実施の形態では、ユーザが携帯端末２０を把持した状態で携帯端末２０を傾けることによりプレビュー画像データＤ２１の縦横向きを修正することになる。この場合、ユーザが、携帯端末２０を水平に近い状態で把持していると、傾きセンサ２００が携帯端末２０の姿勢（傾き）を正確に検出できなくなる可能性が出てくる。ゆえに、特に第３の実施の形態では、携帯端末２０を端末台１７に載置する方が望ましい。
【０１３５】
［４−３．他の実施の形態３］
さらに上述した第３の実施の形態では、スキャン画像データＤ１０の解像度を落としたプレビュー画像データＤ２１を、複合機１０から携帯端末２０に送信するようにしたが、これに限らず、スキャン画像データＤ１０そのものを、複合機１０から携帯端末２０に送信するようにしてもよい。
【０１３６】
［４−４．他の実施の形態４］
さらに上述した第１の実施の形態では、携帯端末２０から複合機１０へ、ＮＦＣ通信もしくはＢｌｕｅｔｏｏｔｈ通信により、端末姿勢情報Ｄ２０を送信するようにしたが、これに限らず、無線ＬＡＮ通信により送信するようにしてもよい。第２、第３の実施の形態についても同様に、携帯端末２０から複合機１０へ無線ＬＡＮ通信により、端末姿勢情報Ｄ２０を送信するようにしてもよい。さらに、上述した第３の実施の形態では、Ｂｌｕｅｔｏｏｔｈ通信により、複合機１０から携帯端末２０へプレビュー画像データＤ２１を送信し、携帯端末２０から複合機１０へページ別端末姿勢情報Ｄ２２を送信するようにしたが、これに限らず、無線ＬＡＮ通信により、複合機１０から携帯端末２０へプレビュー画像データＤ２１を送信し、携帯端末２０から複合機１０へページ別端末姿勢情報Ｄ２２を送信するようにしてもよい。
【０１３７】
［４−５．他の実施の形態５］
さらに上述した各実施の形態では、複合機１０が、編集済みのスキャン画像データＤ１０を、あらかじめ設定された電子メールアドレスに送信するようにしたが、これに限らず、例えば、あらかじめ電子メールアドレス以外の送信先を設定しておくことで、電子メールアドレス以外の送信先に送信するようにしてもよい。例えば、編集済みのスキャン画像データＤ１０を、携帯端末２０に送信したり、ファイルサーバに送信したり、複合機１０に接続されたＵＳＢメモリに送信したりしてもよい。またこれに限らず、編集済みのスキャン画像データＤ１０を送信せず、複合機１０の記憶部１０４に記憶させるだけにしてもよい。
【０１３８】
［４−６．他の実施の形態６］
さらに上述した各実施の形態では、図１０のパターン表に示す８つの組み合わせパターン以外の組み合わせパターンで原稿Ｍｓがスキャナ部１００にセットされる状況については想定していない。ゆえに、８つの組み合わせパターン以外の組み合わせパターンで原稿Ｍｓがスキャナ部１００にセットされた場合、組み合わせパターンによっては、編集済みのスキャン画像データＤ１０の縦横向きが、原稿Ｍｓの縦横向きと一致しなくなる。
【０１３９】
そこで、縦横向きが原稿Ｍｓの縦横向きと一致しないスキャン画像データＤ１０については、複合機１０側で、既存のＯＣＲ（光学的文字認識）技術を用いて再編集することにより、縦横向きを原稿Ｍｓの縦横向きと一致させるようにしてもよい。
【０１４０】
具体的には、例えば、複合機１０のタッチパネルディスプレイ１５に、修正済みのスキャン画像データＤ１０のプレビュー画像データＤ２１を表示させることで、ユーザにプレビュー画像データＤ２１の縦横向きを確認させた後、縦横向きが原稿Ｍｓの縦横向きと一致しないプレビュー画像データＤ２１をユーザに選択させる。そして、複合機１０の画像編集部１０３Ｄが、選択されたプレビュー画像データＤ２１に対応するスキャン画像データＤ１０を、既存のＯＣＲ（光学的文字認識）技術を用いて再編集（つまり回転処理）することにより、このスキャン画像データＤ１０の縦横向きを原稿Ｍｓの縦横向きと一致させるようにすればよい。
【０１４１】
［４−７．他の実施の形態７］
さらに上述した各実施の形態では、複合機１０の端末台１７に携帯端末２０が載置されると、携帯端末２０の傾きセンサ２００から得られる端末姿勢情報Ｄ２０を、携帯端末２０から複合機１０に送信するようにした。これに限らず、例えば、端末台１７に載置された物体の形状を検知する物体検知センサを複合機１０に設け、端末台１７に携帯端末２０を載置したときに、物体検知センサから出力される携帯端末２０の形状（例えば縦長の長方形もしくは横長の長方形）を示す物体形状情報を、端末姿勢情報Ｄ２０の代わりとして用いるようにしてもよい。この場合、端末台１７に載置するのは、必ずしも携帯端末２０でなくてもよく、例えば、長方形薄板状の非接触ＩＣカードなどを載置するようにしてもよい。
【０１４２】
［４−８．他の実施の形態８］
さらに上述した各実施の形態では、画像読取装置の具体例である複合機１０に本発明を適用したが、これに限らず、原稿から画像データを読み取る機能を有する画像読取装置であれば、スキャナ装置やファクシミリ装置などにも適用できる。さらに上述した各実施の形態では、携帯端末の具体例であるスマートフォン構成の携帯端末２０に本発明を適用したが、これに限らず、長方形板状であり加速度センサなどの傾きセンサを備える携帯端末であれば、フィーチャーフォン、ノートブック型パソコン、タブレット型端末などにも適用できる。
【０１４３】
［４−９．他の実施の形態９］
さらに上述した各実施の形態では、携帯端末２０に、端末姿勢検出部の具体例として、傾きセンサ２００を設けたが、これに限らず、携帯端末２０の姿勢を検出できるものであれば、傾きセンサ２００とは異なる端末姿勢検出部を設けるようにしてもよい。さらに上述した各実施の形態では、携帯端末２０に、端末側通信部の具体例として、無線通信部２０２を設けたが、これに限らず、複合機１０と通信接続できるものであれば、無線通信部２０２とは異なる端末側通信部を設けるようにしてもよい。
【０１４４】
さらに上述した各実施の形態では、複合機１０に、読取部の具体例としてＦＢ１２とＡＤＦ１３とを有するスキャナ部１００を設けたが、これに限らず、原稿を読み取ることができるものであれば、スキャナ部１００とは異なる読取部を設けるようにしてもよい。さらに上述した各実施の形態では、複合機１０に、装置側通信部及び通信部の具体例として通信部１０２を設けたが、これに限らず、携帯端末２０と通信接続できるものであれば、通信部１０２とは異なる装置側通信部及び通信部を設けるようにしてもよい。
【０１４５】
さらに上述した各実施の形態では、複合機１０に、画像データの縦横向きを検出する画像データ向き検出部の具体例として、スキャン画像データＤ１０の長辺と短辺とを検出することによりスキャン画像データＤ１０の縦横向きを検出する画像長短辺検出部１０３Ａを設けたが、これに限らず、画像データの縦横向きを検出できるものであれば、画像長短辺検出部１０３Ａとは異なる画像データ向き検出部を設けてもよい。さらに、上述した各実施の形態では、複合機１０の制御部１０３が、複合機１０の各部を制御することにくわえて、画像長短辺検出部１０３Ａ、原稿縦横向き判定部１０３Ｂ、画像編集パラメータ制御部１０３Ｃ、画像編集部１０３Ｄとして機能するようにした。これに限らず、これら画像長短辺検出部１０３Ａ、原稿縦横向き判定部１０３Ｂ、画像編集パラメータ制御部１０３Ｃ、画像編集部１０３Ｄの全部又は一部を、制御部１０３とは別の機能部として複合機１０に設けるようにしてもよい。
【０１４６】
［４−１０．他の実施の形態１０］
さらに、本発明は、上述した各実施の形態に限定されるものではない。すなわち本発明は、上述した第１乃至第３の実施の形態と他の実施の形態の一部または全部を任意に組み合わせた実施の形態や、一部を抽出した実施の形態にもその適用範囲が及ぶものである。
【産業上の利用可能性】
【０１４７】
本発明は、原稿から画像データを読み取る機能を備える様々な装置で広く利用することができる。
【符号の説明】
【０１４８】
１……画像処理システム、１０……複合機、１２……ＦＢ、１３……ＡＤＦ、１４……操作パネル、１５、２１……タッチパネルディスプレイ、１６……ハードキー、１７……端末台、２０……携帯端末、１００……スキャナ部、１０１、２０１……操作表示部、１０２……通信部、１０３、２０３、２０３ｘ……制御部、１０４、２０４、２０４ｘ……記憶部、２００……傾きセンサ、２０２……無線通信部、Ｄ１０……スキャン画像データ、Ｄ２０……端末姿勢情報、Ｄ２１……プレビュー画像データ、Ｄ２２……ページ別端末姿勢情報、Ｍｓ……原稿。
【図１】
2020088442.tif 000003
【図２】
2020088442.tif 000004
【図３】
2020088442.tif 000005
【図４】
2020088442.tif 000006
【図５】
2020088442.tif 000007
【図６】
2020088442.tif 000008
【図７】
2020088442.tif 000009
【図８】
2020088442.tif 000010
【図９】
2020088442.tif 000011
【図１０】
2020088442.tif 000012
【図１１】
2020088442.tif 000013
【図１２】
2020088442.tif 000014
【図１３】
2020088442.tif 000015
【図１４】
2020088442.tif 000016
【図１５】
2020088442.tif 000017
【図１６】
2020088442.tif 000018
【図１７】
2020088442.tif 000019
【図１８】
2020088442.tif 000020
【図１９】
2020088442.tif 000021